【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
物体側から順に、負屈折力のレンズ群、正屈折力のレンズ群、を備える結像光学系であって、
前記負屈折力のレンズ群は、物体側から順に、負レンズである第１レンズ、負レンズである第２レンズを有し、前記正屈折力のレンズ群は、物体側から順に、正レンズである第３レンズ、負レンズである第４レンズ、正レンズである第５レンズ、正レンズである第６レンズを有し、
前記第２レンズが両凹負レンズであり、前記第６レンズが両凸正レンズであることを特徴とする結像光学系。
【請求項２】
物体側から順に、負屈折力のレンズ群、正屈折力のレンズ群、を備える結像光学系であって、
前記負屈折力のレンズ群は、物体側から順に、負レンズである第１レンズ、負レンズである第２レンズを有し、前記正屈折力のレンズ群は、物体側から順に、正レンズである第３レンズ、負レンズである第４レンズ、正レンズである第５レンズ、正レンズである第６レンズを有し、
以下の条件式（１）、（２）を満たすことを特徴とする結像光学系。
−１．２≦ｆＮ／Ｉｈ≦−０．５                           （１）
０．８５≦ｆ１／ｆ２≦１．５                             （２）
ただし、
ｆ１ ：第１レンズの焦点距離
ｆ２ ：第２レンズの焦点距離
ｆＮ ：負屈折力のレンズ群の合成焦点距離
Ｉｈ ：最大像高
である。
【請求項３】
物体側から順に、負屈折力のレンズ群、正屈折力のレンズ群、を備える結像光学系であって、
前記負屈折力のレンズ群は、物体側から順に、負レンズである第１レンズ、負レンズである第２レンズを有し、前記正屈折力のレンズ群は、物体側から順に、正レンズである第３レンズ、負レンズである第４レンズ、正レンズである第５レンズ、正レンズである第６レンズを有し、
以下の条件式（３）を満たすことを特徴とする結像光学系。
２．１≦ｆ５／ｆ≦４                                       （３）
ただし、
ｆ５ ：第５レンズの焦点距離
ｆ ：結像光学系全系の焦点距離
である。
【請求項４】
物体側から順に、負屈折力のレンズ群、正屈折力のレンズ群、を備える結像光学系であって、
前記負屈折力のレンズ群は、物体側から順に、負レンズである第１レンズ、負レンズである第２レンズを有し、前記正屈折力のレンズ群は、物体側から順に、正レンズである第３レンズ、負レンズである第４レンズ、正レンズである第５レンズ、正レンズである第６レンズを有し、
前記第３レンズと前記第４レンズとの間に明るさ絞りを配置し、
以下の条件式（４）を満たすことを特徴とする結像光学系。
０．７≦ｄ３Ｓ／Ｉｈ≦２                                   （４）
ただし、
ｄ３Ｓ：第３レンズの像側の面から明るさ絞りまでの軸上間隔
Ｉｈ ：最大像高
である。
【請求項５】
物体側から順に、負屈折力のレンズ群、正屈折力のレンズ群、を備える結像光学系であって、
前記負屈折力のレンズ群は、物体側から順に、負レンズである第１レンズ、負レンズである第２レンズを有し、前記正屈折力のレンズ群は、物体側から順に、正レンズである第３レンズ、負レンズである第４レンズ、正レンズである第５レンズ、正レンズである第６レンズを有し、
以下の条件式（５）を満たすことを特徴とする結像光学系。
−０．３５≦ｆＮ／ｆＰ≦−０．１                           （５）
ただし、
ｆＮ ：負屈折力のレンズ群の合成焦点距離
ｆＰ ：正屈折力のレンズ群の合成焦点距離
である。
【請求項６】
前記６枚のレンズのみで構成されていることを特徴とする請求項１乃至５のいずれか１項に記載の結像光学系。
【請求項７】
前記第２レンズが両凹負レンズであり、以下の条件式を満たすことを特徴とする請求項１乃至５のいずれか１項に記載の結像光学系。  
６≦｜ｒ２ｆ／ｆ｜≦２００                                 （６）
ただし、  
ｒ２ｆ：第２レンズの物体側の面の近軸曲率半径  
ｆ ：結像光学系全系の焦点距離  
である。
【請求項８】
以下の条件式を満たすことを特徴とする請求項１乃至５のいずれか１項に記載の結像光学系。
１．２≦ｆ３／ｆ５≦２．５                                 （７）
ただし、  
ｆ３ ：第３レンズの焦点距離
ｆ５ ：第５レンズの焦点距離
である。
【請求項９】
以下の条件式を満たすことを特徴とする請求項１乃至５のいずれか１項に記載の結像光学系。  
１．５≦ｆ４５／ｆ６≦６                                   （８）
ただし、
ｆ４５：第４レンズと第５レンズとの合成焦点距離  
ｆ６ ：第６レンズの焦点距離  
である。
【請求項１０】
前記第６レンズが両凸正レンズであり、以下の条件式を満たすことを特徴とする請求項１乃至５のいずれか１項に記載の結像光学系。  
−０．８≦（ｒ６ｆ＋ｒ６ｒ）／（ｒ６ｆ−ｒ６ｒ）≦０．８   （９）
ただし、
ｒ６ｆ：第６レンズの物体側の面の近軸曲率半径
ｒ６ｒ：第６レンズの像側の面の近軸曲率半径
である。
【請求項１１】
前記第３レンズと前記第４レンズとの間に明るさ絞りが配置されていることを特徴とする請求項１乃至３、５のいずれか１項に記載の結像光学系。
【請求項１２】
前記第４レンズと前記第５レンズとが接合しており、前記第４レンズと前記第５レンズの間の接合面が負屈折力を有していて、前記第４レンズのアッベ数が前記第５レンズのアッベ数よりも小さいことを特徴とする請求項１乃至５のいずれか１項に記載の結像光学系。
【請求項１３】
レンズ成分が、光軸付近で入射側の面と射出側の面のみが空気と接触し、その間に空間を持たないレンズ、即ち単レンズまたは接合レンズであると定義したとき、物体側から順に、第１レンズ、空間、第２レンズ、空間、第３レンズ、空間、第４レンズと第５レンズとの接合レンズ、空間、第６レンズの５つのレンズ成分からなることを特徴とする請求項１乃至５のいずれか１項に記載の結像光学系。
【請求項１４】
前記第２レンズが両凹負レンズであることを特徴とする請求項２乃至５のいずれか１項に記載の結像光学系。
【請求項１５】
前記第６レンズは両凸正レンズであることを特徴とする請求項２乃至５のいずれか１項に記載の結像光学系。
【請求項１６】
前記結像光学系の最大半画角が、以下の条件式を満たすことを特徴とする請求項１乃至５のいずれか１項に記載の結像光学系。
８０°≦ω≦１０５°                                       （１０）
ただし、
ω ：結像光学系の最大半画角
である。
【請求項１７】
以下の条件式を満たすことを特徴とする請求項１、３乃至５のいずれか１項に記載の結像光学系。
０．８５≦ｆ１／ｆ２≦１．５                               （２）
ただし、
ｆ１ ：第１レンズの焦点距離
ｆ２ ：第２レンズの焦点距離
である。
【請求項１８】
以下の条件式を満たすことを特徴とする請求項１、３乃至５のいずれか１項に記載の結像光学系。  
−１．２≦ｆＮ／Ｉｈ≦−０．５                             （１）
ただし、  
ｆＮ ：負屈折力のレンズ群の合成焦点距離
Ｉｈ ：最大像高
である。
【請求項１９】
以下の条件式を満たすことを特徴とする請求項１、２、４又は５のいずれか１項に記載の結像光学系。
２．１≦ｆ５／ｆ≦４                                       （３）
ただし、
ｆ５ ：第５レンズの焦点距離  
ｆ ：結像光学系全系の焦点距離  
である。
【請求項２０】
前記第３レンズと前記第４レンズとの間に明るさ絞りを配し、以下の条件式を満たすことを特徴とする請求項１乃至３、５のいずれか１項に記載の結像光学系。
０．７≦ｄ３Ｓ／Ｉｈ≦２                                   （４）
ただし、
ｄ３Ｓ：第３レンズの像側の面から明るさ絞りまでの軸上間隔
Ｉｈ ：最大像高
である。
【請求項２１】
以下の条件式を満たすことを特徴とする請求項１乃至４のいずれか１項に記載の結像光学系。
−０．３５≦ｆＮ／ｆＰ≦−０．１                           （５）
ただし、
ｆＮ ：負屈折力のレンズ群の合成焦点距離  
ｆＰ ：正屈折力のレンズ群の合成焦点距離  
である。
【請求項２２】
前記６枚のレンズのみで構成されていることを特徴とする請求項７乃至請求項２１のいずれか１つに記載の結像光学系。
【請求項２３】
以下の条件式を満たすことを特徴とする請求項１乃至２２のいずれか１つに記載の結像光学系。
０．７≦ｒ１ｒ／ｄ１ｒ≦１．５                             （１１）
ただし、
ｒ１ｒ：第１レンズの像側の面の近軸曲率半径  
ｄ１ｒ：第１レンズの像側の面から第２レンズの物体側の面までの軸上間隔  
である。
【請求項２４】
前記第１レンズは、物体側に凸面を向けた負メニスカスレンズであり、
前記第２レンズは、物体側の面の近軸曲率半径絶対値よりも像側の面の近軸曲率半径絶対値が小さい両凹負レンズであり、
前記第３レンズは、物体側の面の近軸曲率半径絶対値よりも像側の面の近軸曲率半径絶対値が小さい両凸正レンズであり、
前記第４レンズは、物体側の面の近軸曲率半径絶対値よりも像側の面の近軸曲率半径絶対値が小さい負レンズであり、
前記第５レンズは、第４レンズに接合された両凸正レンズであり、
前記第６レンズは、両凸レンズであり、
前記第３レンズと第４レンズとの間に明るさ絞りを有することを特徴とする請求項１乃至２３のいずれか１つに記載の結像光学系。
【請求項２５】
請求項１乃至２４のいずれか１つに記載の結像光学系と、
前記結像光学系の像側に受光面が配置され、且つ、前記結像光学系により該受光面上に形成された光学像を電気信号に変換する電子撮像素子と、を備えたことを特徴とする撮像装置。
【手続補正２】
【補正対象書類名】明細書
【補正対象項目名】発明の名称
【補正方法】変更
【補正の内容】
【発明の名称】結像光学系およびそれを備えた撮像装置
【手続補正３】
【補正対象書類名】明細書
【補正対象項目名】００１１
【補正方法】変更
【補正の内容】
【００１１】
また、上記の本発明の結像光学系は、前記６枚のレンズのみで構成されていることが望ましい。  
また、上記の目的を達成するために、本発明の結合光学系は、前記第２レンズが両凹負レンズであり、以下の条件式（６）を満たすように構成する。
６≦｜ｒ２ｆ／ｆ｜≦２００                                 （６）
ただし、
ｒ２ｆ：第２レンズの物体側の面の近軸曲率半径
ｆ：結像光学系全系の焦点距離
である。
また、上記の目的を達成するために、本発明の結合光学系は、以下の条件式（７）を満たすように構成する。
１．２≦ｆ３／ｆ５≦２．５                                 （７）
ただし、
ｆ３：第３レンズの焦点距離
ｆ５：第５レンズの焦点距離
である。
また、上記の目的を達成するために、本発明の結合光学系は、以下の条件式（８）を満たすように構成する。  
１．５≦ｆ４５／ｆ６≦６                                   （８）
ただし、
ｆ４５：第４レンズと第５レンズとの合成焦点距離
ｆ６：第６レンズの焦点距離
である。
また、上記の目的を達成するために、本発明の結合光学系は、前記第６レンズが両凸正レンズであり、以下の条件式（９）を満たすように構成する。  
−０．８≦（ｒ６ｆ＋ｒ６ｒ）／（ｒ６ｆ−ｒ６ｒ）≦０．８   （９）  
ただし、
ｒ６ｆ：第６レンズの物体側の面の近軸曲率半径
ｒ６ｒ：第６レンズの像側の面の近軸曲率半径
である。
また、上記の目的を達成するために、本発明の結合光学系は、前記第３レンズと前記第４レンズとの間に明るさ絞りが配置されているように構成する。
また、上記の目的を達成するために、本発明の結合光学系は、前記第４レンズと前記第５レンズとが接合しており、前記第４レンズと前記第５レンズの間の接合面が負屈折力を有していて、前記第４レンズのアッベ数が前記第５レンズのアッベ数よりも小さくなるように構成する。
また、上記の目的を達成するために、本発明の結合光学系は、レンズ成分が、光軸付近で入射側の面と射出側の面のみが空気と接触し、その間に空間を持たないレンズ、即ち単レンズまたは接合レンズであると定義したとき、物体側から順に、第１レンズ、空間、第２レンズ、空間、第３レンズ、空間、第４レンズと第５レンズとの接合レンズ、空間、第６レンズの５つのレンズ成分からなるように構成する。
また、上記の目的を達成するために、本発明の結合光学系は、前記第２レンズを両凹負レンズで構成する。
また、上記の目的を達成するために、本発明の結合光学系は、前記第６レンズを両凸正レンズで構成する。
また、上記の目的を達成するために、本発明の結合光学系は、前記結像光学系の最大半画角が、以下の条件式（１０）を満たすように構成する。  
８０°≦ω≦１０５°                                     （１０）
ただし、
ω：結像光学系の最大半画角
である。
また、上記の目的を達成するために、本発明の結合光学系は、以下の条件式（２）を満たすように構成する。
０．８５≦ｆ１／ｆ２≦１．５                               （２）
ただし、
ｆ１：第１レンズの焦点距離
ｆ２：第２レンズの焦点距離
である。
また、上記の目的を達成するために、本発明の結合光学系は、以下の条件式（１）を満たすように構成している。
−１．２≦ｆＮ／Ｉｈ≦−０．５                             （１）
ただし、
ｆＮ：負屈折力のレンズ群の合成焦点距離
Ｉｈ：最大像高
である。
また、上記の目的を達成するために、本発明の結合光学系は、以下の条件式（３）を満たすように構成する。
２．１≦ｆ５／ｆ≦４                                       （３）
ただし、
ｆ５：第５レンズの焦点距離
ｆ：結像光学系全系の焦点距離
である。
また、上記の目的を達成するために、本発明の結合光学系は、前記第３レンズと前記第４レンズとの間に明るさ絞りを配し、以下の条件式（４）を満たすように構成する。
０．７≦ｄ３Ｓ／Ｉｈ≦２                                   （４）
ただし、
ｄ３Ｓ：第３レンズの像側の面から明るさ絞りまでの軸上間隔
Ｉｈ：最大像高  
である。
また、上記の目的を達成するために、本発明の結合光学系は、以下の条件式（５）を満たすように構成する。
−０．３５≦ｆＮ／ｆＰ≦−０．１                           （５）
ただし、
ｆＮ：負屈折力のレンズ群の合成焦点距離
ｆＰ：正屈折力のレンズ群の合成焦点距離
である。
また、上記の目的を達成するために、本発明の結合光学系は、前記６枚のレンズのみで構成されている。
また、上記の目的を達成するために、本発明の結合光学系は、以下の条件式（１１）を満たすように構成する。
０．７≦ｒ１ｒ／ｄ１ｒ≦１．５                             （１１）
ただし、
ｒ１ｒ：第１レンズの像側の面の近軸曲率半径
ｄ１ｒ：第１レンズの像側の面から第２レンズの物体側の面までの軸上間隔
である。
また、上記の目的を達成するために、本発明の結合光学系は、前記第１レンズは、物体側に凸面を向けた負メニスカスレンズであり、前記第２レンズは、物体側の面の近軸曲率半径絶対値よりも像側の面の近軸曲率半径絶対値が小さい両凹負レンズであり、前記第３レンズは、物体側の面の近軸曲率半径絶対値よりも像側の面の近軸曲率半径絶対値が小さい両凸正レンズであり、前記第４レンズは、物体側の面の近軸曲率半径絶対値よりも像側の面の近軸曲率半径絶対値が小さい負レンズであり、前記第５レンズは、第４レンズに接合された両凸正レンズであり、前記第６レンズは、両凸レンズであり、前記第３レンズと第４レンズとの間に明るさ絞りを有するように構成する。
上記の目的を達成するために、本発明の撮像装置は、請求項１乃至２４のいずれか１つに記載の結像光学系と、前記結像光学系の像側に受光面が配置され、且つ、前記結像光学系により該受光面上に形成された光学像を電気信号に変換する電子撮像素子と、を備えるように構成する。
【手続補正４】
【補正対象書類名】明細書
【補正対象項目名】００５６
【補正方法】変更
【補正の内容】
【００５６】
上記第１乃至５の発明の構成では、正レンズである第３レンズにおいて軸上色収差が発生しやすくなる。そこで、第４レンズと第５レンズとを接合し、その接合面に負の屈折力を持たせ、同時に、負レンズである第４レンズのアッベ数を正レンズである第５レンズのアッベ数よりも小さくすることにより、第３レンズにおいて発生した軸上色収差と逆方向の軸上色収差を接合面に発生させることが好ましい。
【手続補正５】
【補正対象書類名】明細書
【補正対象項目名】００８１
【補正方法】変更
【補正の内容】
【００８１】
また、上記各条件式に係るデータは、
条件式（１） ：ｆＮ／Ｉｈ＝−０．９５
条件式（２） ：ｆ１／ｆ２＝１．１６
条件式（３） ： ｆ５／ｆ＝２．８７
条件式（４） ： ｄ３Ｓ／Ｉｈ＝１．５２
条件式（５） ： ｆＮ／ｆＰ＝−０．２３
条件式（６） ： ｒ２ｆ／ｆ＝−１４．２２
条件式（７） ： ｆ３／ｆ５＝１．７４
条件式（８） ： ｆ４５／ｆ６＝２．１４
条件式（９） ： （ｒ６ｆ＋ｒ６ｒ）／（ｒ６ｆ−ｒ６ｒ）＝−０．１０
条件式（１０） ：ω＝９５°
条件式（１１） ：ｒ１ｒ／ｄ１ｒ＝１．００５
である。
【手続補正６】
【補正対象書類名】明細書
【補正対象項目名】００８８
【補正方法】変更
【補正の内容】
【００８８】
また、上記各条件式に係るデータは、
条件式（１） ：ｆＮ／Ｉｈ＝−０．９５
条件式（２） ：ｆ１／ｆ２＝１．３５
条件式（３） ： ｆ５／ｆ＝２．５１
条件式（４） ： ｄ３Ｓ／Ｉｈ＝０．８０
条件式（５） ： ｆＮ／ｆＰ＝−０．２６
条件式（６） ： ｒ２ｆ／ｆ＝−３６．８１
条件式（７） ： ｆ３／ｆ５＝１．７２
条件式（８） ： ｆ４５／ｆ６＝３．１２
条件式（９） ： （ｒ６ｆ＋ｒ６ｒ）／（ｒ６ｆ−ｒ６ｒ）＝−０．０４
条件式（１０） ：ω＝９１．５°
条件式（１１） ：ｒ１ｒ／ｄ１ｒ＝０．８１９
である。
【手続補正７】
【補正対象書類名】明細書
【補正対象項目名】００９６
【補正方法】変更
【補正の内容】
【００９６】
また、上記各条件式に係るデータは、
条件式（１） ：ｆＮ／Ｉｈ＝−０．９９
条件式（２） ：ｆ１／ｆ２＝１．１６
条件式（３） ： ｆ５／ｆ＝２．３５
条件式（４） ： ｄ３Ｓ／Ｉｈ＝１．１０
条件式（５） ： ｆＮ／ｆＰ＝−０．２５
条件式（６） ： ｒ２ｆ／ｆ＝−７２．５１
条件式（７） ： ｆ３／ｆ５＝１．９１
条件式（８） ： ｆ４５／ｆ６＝４．７１
条件式（９） ： （ｒ６ｆ＋ｒ６ｒ）／（ｒ６ｆ−ｒ６ｒ）＝−０．５０
条件式（１０） ：ω＝９５°
条件式（１１） ：ｒ１ｒ／ｄ１ｒ＝０．９７７
である。